(57)【要約】      （修正有）【課題】全ての放送チャンネルの放送番組を、過去の各々の放送チャンネルのオンエアの状態をそのままに記録し、過去から現在の放送番組の視聴を、統一化された同じ操作と感覚で視聴する環境を提供する。【解決手段】受信可能な複数の放送チャンネルを受信する為のチューナ設備を備え、取得する全放送の放送ストリームに対して、各々の放送チャンネル毎に放送ストリームを弁別する為の弁別標識を新たに設けた上で、全放送の放送ストリームを多重化し一体となった放送ストリームを記憶媒体に記録する。ユーザが所望する特定の放送チャンネルの再生は、多重化された放送ストリームから放送チャンネル毎に弁別し振り分けられる個別の放送チャンネルの放送ストリームを再生する事により実現する。全ての放送チャンネルを、オンエアされている状態そのままに記録媒体にシーケンシャルに記録保存する事により、記憶媒体に対する高速アクセスと長寿命化を実現する。【選択図】図１
2012004768.tif 000002
【特許請求の範囲】
【請求項１】
受信可能な複数の放送チャンネルの放送ストリームを記録再生する多チャンネル同時録画再生装置に於いて、
受信可能な複数の放送チャンネルの放送波を受信する放送波受信手段と、
前記放送波受信手段により取得する全ての放送ストリームに対して、
再生時に各々の放送チャンネル毎に放送ストリームを弁別する為の弁別標識を設けた上で、
全ての放送ストリームを多重化する放送ストリーム多重化手段と、
前記放送ストリーム多重化手段により全放送チャンネルが弁別可能な状態で多重化された放送ストリームを記録するストリーム蓄積手段を備え、
前記多重化された放送ストリームを前記ストリーム蓄積手段から読出し、
各々の放送チャンネル毎に弁別し振り分ける放送ストリーム弁別手段と、
前記放送ストリーム弁別手段により所望の放送チャンネルの放送ストリームを抽出し再生或いは送信する手段を備える事を特徴とする多チャンネル同時録画再生装置。
【請求項２】
受信可能な複数の放送チャンネルの放送ストリームを記録再生する多チャンネル同時録画再生装置に於いて、
受信可能な複数の放送チャンネルの放送波を受信する放送波受信手段と、
前記放送波受信手段により取得する放送波信号を高圧縮の放送ストリームに変換するデジタル高圧縮手段と、
前記デジタル高圧縮手段により生成された放送ストリームに対して、
再生時に各々の放送チャンネル毎に放送ストリームを弁別する為の弁別標識を設けた上で、
全ての放送ストリームを多重化する放送ストリーム多重化手段と、
前記放送ストリーム多重化手段により全放送チャンネルが弁別可能な状態で多重化された放送ストリームを記録するストリーム蓄積手段を備え、
前記多重化された放送ストリームを前記ストリーム蓄積手段から読出し、
各々の放送チャンネル毎に弁別し振り分ける放送ストリーム弁別手段と、
前記放送ストリーム弁別手段により所望の放送チャンネルの放送ストリームを抽出し再生或いは送信する手段を備える事を特徴とする多チャンネル同時録画再生装置。
【請求項３】
請求項１或いは請求項2に記載の多チャンネル同時録画再生装置に於いて、
前記放送ストリーム多重化手段により全放送チャンネルが弁別可能な状態で多重化された放送ストリームは、
記憶領域にシーケンシャルに書込まれる様に制御されるストリーム蓄積手段を備える事を特徴とする多チャンネル同時録画再生装置。
【請求項４】
請求項１から請求項3に記載の多チャンネル同時録画再生装置に於いて、
前記放送波受信手段により受信可能な複数の放送チャンネルの放送番組情報を取得する放送番組情報取得手段と、
前記放送番組情報取得手段により取得した番組情報に基づき、
前記ストリーム蓄積手段に記録される全放送チャンネルが弁別可能な状態で多重化された放送ストリーム上の各々の放送チャンネルの番組開始及び終了位置を管理する機能を備える事を特徴とする多チャンネル同時録画再生装置。
【請求項５】
請求項１から請求項４に記載の多チャンネル同時録画再生装置に於いて、
前記ストリーム蓄積手段に記録される全放送チャンネルが弁別可能な状態で多重化された放送ストリームを読み出し、
放送中の番組を視聴するのと同様に、チャンネルキー及びチャンネルアップ/ダウンキー等で各放送チャンネルを切換え、
日時方向に過去から現在に至るまで、早送り巻戻し操作を含めシームレスに再生して視聴させる機能を備える事を特徴とする多チャンネル同時録画再生装置。
【発明の詳細な説明】
【技術分野】
【０００１】
本発明は、放送番組受信と録画及び再生機能を有するビデオ装置に於いて、受信可能な複数の放送チャンネルの放送番組映像及び音声を同時録画し再生する機能を提供するビデオ装置に関する。
【背景技術】
【０００２】
近年、ハードディスク及び光ディスク（ＤＶＤ、ＨＤ−ＤＶＤ、ブルーレイディスク等）などの大容量記憶媒体を搭載するデジタルビデオ録画機器の家庭保有が一般化している。特に、ハードディスクドライブを搭載するビデオ録画機の場合、１テラバイト（1,099,511,627,776 バイト）を超えるデータ容量を有し、数ヶ月分の時間範囲の映像を記録（但し、画質設定に依存）することが可能となっている。デジタルビデオ録画再生機器に於いて、これら大容量記憶媒体を搭載する事により、全チャンネルの放送番組を録画して取っておき、見たい時にどの番組でも現在放送されている番組であるかのように見る事ができる機能を提供可能とする環境が整ってきていると言える。
【先行技術文献】
【特許文献】
【０００３】
特許文献１の放送信号蓄積装置では、全ての放送チャンネルで放送された放送番組を、番組情報に基づき放送番組単位に区切った番組データを、放送チャンネル毎に記録媒体に記録する。ユーザからの再生要求が入力されると、番組情報を受像機に表示させてユーザに視聴したい番組を選ばせた上で、対応する番組データを記録媒体から読み出して再生する。又、番組データを記録媒体に記録（蓄積）する際に、空き容量を確保する為に最も古い番組や視聴履歴情報に基づく視聴済み番組データを削除して、記録スペースを確保する機能を有する。
【特許文献１】特開２００５−１５１１６４号広報
【発明の概要】
【発明が解決しようとする課題】
【０００４】
全ての放送チャンネルで放送された放送番組を、番組情報に基づき放送番組単位に区切って、放送チャンネル毎に記録媒体に記録する場合、視聴する番組を特定する手段は、番組情報から選択する以外になく、逐一記録されている番組データを選択する手間を要する。又、通常のビデオ装置の場合、ユーザが放送中の番組を視聴する場合、無作為にチャンネルキーによる直接選択やチャンネルアップ/ダウンキーなどで随時チャンネルを切換えて見る事が可能となっている。本発明は、全ての放送チャンネルで放送されている放送番組を、その日その時間にオンエアされている状態そのままに記録保存し、再生する場合に於いても過去の各放送チャンネルのオンエアの状態をそのままにシームレスに再現する事が可能であり、放送中の番組と同様のチャンネルキー及びチャンネルアップ/ダウンキーなどで随時チャンネルを切換えて無作為に視聴するスタイルをも提供可能とする。更に、全ての放送チャンネルの放送番組を、オンエアされていた状態そのままにタイムシフト視聴し、現放送中の位置までシームレスに通常再生及びトリック再生する事が可能となる。又、全ての放送チャンネルで放送された放送番組を、番組情報に基づき放送番組単位に区切って、放送チャンネル毎に記録媒体に記録し、空き容量を確保する為に最も古い番組や視聴履歴情報に基づく視聴済み番組データを削除する事により、記録媒体の記憶領域の断片化を招き、ハードディスクなどの機械部を有する装置では、例えば磁気ヘッドは断片化し離れた記憶領域を頻繁に行き来する事になり、移動量の増加が機械部分の消耗を招く事となる。本発明では、全ての放送チャンネルで放送された放送番組を、オンエアされている状態そのままに一本化してシーケンシャルに記録保存する事により、ハードディスクなど機構部を有する記憶媒体であっても機械部品の長寿命化に寄与するものである。
【課題を解決するための手段】
【０００５】
請求項１の多チャンネル同時録画再生装置は、受信可能な複数の放送チャンネルの放送波を受信する放送波受信手段と、前記放送波受信手段により取得する全ての放送ストリームに対して、再生時に各々の放送チャンネル毎に放送ストリームを弁別する為の弁別標識を設けた上で、全ての放送ストリームを多重化する放送ストリーム多重化手段と、前記放送ストリーム多重化手段により全放送チャンネルが弁別可能な状態で多重化された放送ストリームを記録するストリーム蓄積手段を備え、前記多重化された放送ストリームを前記ストリーム蓄積手段から読出し、各々の放送チャンネル毎に弁別し振り分ける放送ストリーム弁別手段と、前記放送ストリーム弁別手段により所望の放送チャンネルの放送ストリームを抽出し再生或いは送信する手段を備える事を特徴とする。
【０００６】
請求項２の多チャンネル同時録画再生装置は、受信可能な複数の放送チャンネルの放送波を受信する放送波受信手段と、前記放送波受信手段により取得する放送波信号を高圧縮の放送ストリームに変換するデジタル高圧縮手段と、前記デジタル高圧縮手段により生成された放送ストリームに対して、再生時に各々の放送チャンネル毎に放送ストリームを弁別する為の弁別標識を設けた上で、全ての放送ストリームを多重化する放送ストリーム多重化手段と、前記放送ストリーム多重化手段により全放送チャンネルが弁別可能な状態で多重化された放送ストリームを記録するストリーム蓄積手段を備え、前記多重化された放送ストリームを前記ストリーム蓄積手段から読出し、各々の放送チャンネル毎に弁別し振り分ける放送ストリーム弁別手段と、前記放送ストリーム弁別手段により所望の放送チャンネルの放送ストリームを抽出し再生或いは送信する手段を備える事を特徴とする。
【０００７】
請求項３の多チャンネル同時録画再生装置は、請求項１或いは請求項2に記載の多チャンネル同時録画再生装置に於いて、前記放送ストリーム多重化手段により全放送チャンネルが弁別可能な状態で多重化された放送ストリームは、記憶領域にシーケンシャルに書込まれる様に制御されるストリーム蓄積手段を備える事を特徴とする。
【０００８】
請求項４の多チャンネル同時録画再生装置は、請求項１から請求項3に記載の多チャンネル同時録画再生装置に於いて、前記放送波受信手段により受信可能な複数の放送チャンネルの放送番組情報を取得する放送番組情報取得手段と、前記放送番組情報取得手段により取得した番組情報に基づき、前記ストリーム蓄積手段に記録される全放送チャンネルが弁別可能な状態で多重化された放送ストリーム上の各々の放送チャンネルの番組開始及び終了位置を管理する機能を備える事を特徴とする。
【０００９】
請求項５の多チャンネル同時録画再生装置は、請求項１から請求項４に記載の多チャンネル同時録画再生装置に於いて、前記ストリーム蓄積手段に記録される全放送チャンネルが弁別可能な状態で多重化された放送ストリームを読み出し、放送中の番組を視聴するのと同様に、チャンネルキー及びチャンネルアップ/ダウンキー等で各放送チャンネルを切換え、日時方向に過去から現在に至るまで、早送り巻戻し操作を含めシームレスに再生して視聴させる機能を備える事を特徴とする。
【発明の効果】
【００１０】
本発明の請求項１の多チャンネル同時録画再生装置によれば、受信可能な全て（複数）の放送チャンネルを受信する為の地上アンテナ放送、衛星放送、ケーブルテレビ放送等のチューナ設備を備える放送波受信手段により取得する全ての放送チャンネルの放送ストリームに対して、特定の放送チャンネルを再生する場合に、各々の放送チャンネル毎に放送ストリームを弁別する為の弁別標識を新たに設けた上で、全ての放送チャンネルの放送ストリームを多重化し一体となった放送ストリームを記憶媒体に記録する。ユーザが所望する特定の放送チャンネルの再生視聴及び抽出送信は、多重化された放送ストリームを記憶媒体から読出し、多重化された放送ストリームから各々の放送チャンネル毎に弁別し振り分けられる個別の放送チャンネルの放送ストリームを再生或いは送信する事により実現する。全ての放送チャンネルで放送されている放送番組を、その日その時間にオンエアされている状態そのままに記録媒体に記録保存する事が可能で、再生する場合に於いては過去の各放送チャンネルのオンエアの状態をそのままに、各放送チャンネル間の切換え及び過去から現在までの番組をシームレスに再現・再生する事を可能とする環境を提供する。
【００１１】
請求項２の発明の多チャンネル同時録画再生装置によれば、受信可能な全て（複数）の放送チャンネルを受信する為の地上アンテナ放送、衛星放送、ケーブルテレビ放送等のチューナ設備を備える放送波受信手段により取得する全ての放送チャンネルの放送ストリームに対して、Ｈ．２６４等に代表される高圧縮符号化手段を適用しトランスコードした各々の放送ストリームを、特定の放送チャンネルを再生する場合に、各々の放送チャンネル毎に放送ストリームを弁別する為の弁別標識を新たに設けた上で、全ての放送チャンネルの放送ストリームを多重化し一体となった放送ストリームを記憶媒体に記録する。各放送チャンネルの放送ストリームは、高圧縮符号化手段を適用する事により、物理的制限のある記憶媒体の容量の範囲に於いて、より高効率に大量の放送ストリームを蓄積する事が可能となる。又、受信可能な放送チャンネルとしての地上アナログ放送等の放送信号を受信する場合には、ＭＰＥＧ２或いはＨ．２６４等に代表される高圧縮手段を適用しデジタル符号化圧縮した放送ストリームに対して、各放送チャンネル毎の放送ストリームを同様の手段を適用する事により多重化して記録媒体に記録保存するものとする。
【００１２】
請求項３の発明の多チャンネル同時録画再生装置によれば、全放送チャンネルの放送ストリームが弁別可能な状態で多重化された放送ストリームは、記憶領域にシーケンシャルに書込まれる様に制御される事により、ハードディスクなど機構部（機械駆動装置）を有する記憶媒体であっても、駆動装置の移動量を減じ機械部品の長寿命化に寄与するものである。
【００１３】
請求項４の発明の多チャンネル同時録画再生装置によれば、受信可能な全て（複数）の放送チャンネルを受信する為の地上アンテナ放送、衛星放送、ケーブルテレビ放送等のチューナ設備を備える放送波受信手段により取得する全ての放送チャンネルの放送番組情報に基づき、記録媒体に記録保存された全放送チャンネルの多重化放送ストリーム上の各々の放送チャンネルの番組開始及び終了位置を管理する事により、各々の放送チャンネルの放送ストリームを再生視聴する場合、番組開始及び終了位置にジャンプする機能を提供する事が可能となる。
【００１４】
請求項５の発明の多チャンネル同時録画再生装置によれば、ストリーム蓄積手段に記録される全放送チャンネルが弁別可能な状態で多重化された放送ストリームを読み出し、チャンネルキー及びチャンネルアップ/ダウンキー等で各放送チャンネルの放送ストリームを弁別及び切換え、日時方向に過去から現在に至るまで、早送り巻戻し操作を含めシームレスに再生して視聴させる機能を備える事により、ユーザは現放送番組を視聴する場合と同じ一貫した操作手順で記録された放送番組を視聴する事が可能となる。
【図面の簡単な説明】
【００１５】
【図１】多チャンネル同時録画再生装置の構成を示す図
【図２】複数チャンネルの放送ストリームの多重化情報を示す図
【図３】ＰＩＤ変換フィルタのフローチャート（１）を示す図
【図４】ＰＩＤ変換フィルタのフローチャート（２）を示す図
【図５】放送ストリームの多重化処理を示す図
【図６】多重化放送ストリームの弁別処理を示す図
【図７】多重化放送ストリームの記録保存管理を示す図
【図８】多重化放送ストリームの番組開始及び終了位置管理を示す図
【発明を実施するための形態】
【００１６】
以下、本発明の実施例を、図面を参照して説明する。
【実施例】
【００１７】
図１〜図６は、本発明の多チャンネル同時録画再生装置の構成例及び、複数チャンネルの放送ストリームの多重化情報の構成例、放送ストリームの弁別標識の設定例、複数チャンネルの放送ストリームの多重化処理の例、複数チャンネルの多重化放送ストリームの弁別処理の例を説明する図である。
【００１８】
図１の例に於いて、多チャンネル同時録画再生装置は、受信可能な全て（複数）の放送チャンネルを受信する為の地上デジタル放送、衛星放送（ＢＳデジタル放送・ＣＳデジタル放送等）、ケーブルテレビ放送等のチューナ設備を備える放送波受信手段により取得する全ての放送チャンネルの放送ストリームを入力する放送ストリーム（Ｔｒａｎｓｐｏｒｔ  Ｓｔｒｅａｍ等）入力１〜ｎ（１〜４）と、放送ストリームに於ける放送チャンネルを特定するｐｒｏｇｒａｍ  ｎｕｍｂｅｒとその番組定義としてのストリームパケットＰＭＴ（Ｐｒｏｇｒａｍ  Ｍａｐ  Ｔａｂｌｅ）のＰＩＤ値の間の関係を提供するストリームパケットＰＡＴ（Ｐｒｏｇｒａｍ  Ａｓｓｏｃｉａｔｉｏｎ  Ｔａｂｌｅ）と、番組を構成する番組要素（ｅｌｅｍｅｎｔａｒｙ）間のマッピングを提供するストリームパケットＰＭＴと、ビデオ・オーディオの各番組要素（ｅｌｅｍｅｎｔａｒｙ）のストリームパケットと、復号タイミングを規定するタイムスタンプを提供するＰＣＲ（Ｐｒｏｇｒａｍ  Ｃｌｏｃｋ  Ｒｅｆｅｒｅｎｃｅ）ストリームパケットと、字幕や文字スーパー等の付随する番組要素（ｅｌｅｍｅｎｔａｒｙ）ストリームパケット及び、番組配列情報としてのＳＩ（Ｓｅｒｖｉｃｅ  Ｉｎｆｏｒｍａｔｉｏｎ）ストリームパケット等と言った、再生時に必要となる全ての放送チャンネルを構成する各放送ストリーム内のストリームパケットのＰＩＤ値がユニークとなるように変換するＰＩＤ変換フィルタ１〜ｎ（５〜８）と、全ての放送チャンネルを構成する各放送ストリームを多重化し一体となるよう処理するマルチプレクサ(Ｍｕｌｔｉｐｌｅｘｅｒ)部（９）と、全放送チャンネルを多重化した放送ストリームを記憶媒体（１１）に記録保存する記録媒体入出力インターフェース（１０）と、記憶媒体（１１）から記録媒体入出力インターフェース（１０）を介して読み出した全ての放送チャンネル分の複数のビデオ・オーディオで構成される多重化放送ストリームから、放送チャンネルで指定される放送ストリーム或いはその構成要素であるビデオエレメンタリーストリームとオーディオエレメンタリーストリームに分離するデマルチプレクサ
（Ｄｅｍｕｌｔｉｐｌｅｘｅｒ）部（１２）と、これら分離した放送ストリームをモニタ（１６）表示する為に復号処理し再生するＡＶデコーダ１，２部（１３〜１４）や通信用途の為に出力する出力インターフェース部（１５）で構成される。
尚、放送ストリーム入力１〜ｎ（１〜４）に入力する放送ストリームは、記録容量を削減する等の目的の為に、Ｈ．２６４等に代表される高圧縮符号化手段を適用しトランスコードした各々の放送ストリームを含む構成であっても良い。又、受信可能な放送チャンネルとして地上アナログ放送等のアナログ放送信号を受信する機能を含む場合、ＭＰＥＧ２或いはＨ．２６４等に代表される高圧縮手段を適用しデジタル符号化圧縮した放送ストリームを、放送ストリーム入力１〜ｎ（１〜４）に入力する放送ストリームとして構成しても良い。
【００１９】
図２の例は、多チャンネル同時録画再生装置に於ける複数放送チャンネルの放送ストリームの多重化に於けるストリームパケット構成情報を示している。複数のｎチャンネルＣＨ１・ＣＨ２・ＣＨ３〜ＣＨｎの各々の放送ストリームは、ストリームパケットＰＡＴ、ストリームパケットＰＭＴ等の番組特定情報であるＰＳＩ（Ｐｒｏｇｒａｍ  Ｓｐｅｃｉｆｉｃ  Ｉｎｆｏｒｍａｔｉｏｎ）を含む番組配列情報ＳＩストリームパケットＳＩ１〜ＳＩｎ（２０、２４、２５、２６）と、ビデオ・オーディオの各番組要素ストリームパケットＶ１〜Ｖｎ、Ａ１〜Ａｎと、復号タイミングを規定するタイムスタンプを提供するＰＣＲストリームパケットＰＣＲ１〜ＰＣＲｎと、その他の字幕や文字スーパー等の付随する番組要素ストリームパケット等（図では省略）で構成されている。複数チャンネルの放送ストリームに於ける各々のストリームパケットのＰＩＤ値及びストリームパケットＰＡＴやストリームパケットＰＭＴ内の番組構成情報としてのＰＩＤ値は、放送チャンネル間の重複がありユニークな値が定義されていない為、複数放送チャンネルの放送ストリームをそまま多重化した場合、再生目的等に於いて特定の放送チャンネルの放送ストリームを弁別する事ができない。又、ストリームパケットＰＡＴは、多重化した放送ストリームであっても１つの固定ＰＩＤ値を持つストリームパケットとして構成しなければならない。従って、複数放送チャンネルの放送ストリームの多重化に於けるストリームパケット構成情報（２７）は、放送チャンネル毎にユニークとなるｐｒｏｇｒａｍ＿ｎｕｍｂｅｒ＝ＣＨ１′〜ＣＨｎ′とｐｒｏｇｒａｍ＿ＭＡＰ＿ＰＩＤ＝ＰＭＴ１′〜ＰＭＴｎ′（番組を構成する番組要素間のマッピングを提供するストリームパケットＰＭＴのＰＩＤ値）で構成される１つのストリームパケットＰＡＴ  ＰＡＴｘ（２８）を生成し、多重化放送ストリーム内の番組要素ストリームパケット全体でユニークなＰＩＤ値を割り振られた、復号タイミングを規定するタイムスタンプ・ストリームパケットＰＣＲ＿ＰＩＤ＝  ＰＣＲ１′〜ＰＣＲｎ′とビデオ番組要素・ストリームパケットｅｌｅｍｅｎｔａｒｙ＿ＰＩＤ＝Ｖ１′〜Ｖｎ′とオーディオ番組要素・ストリームパケットｅｌｅｍｅｎｔａｒｙ＿ＰＩＤ＝Ａ１′〜Ａｎ′で構成される放送チャンネル毎の番組定義・ストリームパケットＰＭＴ１′〜ＰＭＴｎ′（２９）及びその各々の実体としての番組要素ストリームパケット（３０）ＰＣＲ１′〜ＰＣＲｎ′、Ｖ１′〜Ｖｎ′、Ａ１′〜Ａｎ′となるよう再構成する。これにより、複数のｎチャンネルの多重化放送ストリームは、複数放送チャンネル分あったストリームパケットＰＡＴは単一のＰＡＴｘ（３１）に、再構成された放送チャンネル毎の番組定義ストリームパケットＰＭＴはＰＭＴ１′（３２）〜ＰＭＴｎ′（３３）に、そして例えば放送チャンネルＣＨ１の放送ストリームの場合、タイムスタンプＰＣＲ１（２１）がＰＣＲ１′（３５）にＰＩＤ値変更され、オーディオ番組要素Ａ１（２２）がＡ１′（３６）にＰＩＤ値変更され、ビデオ番組要素Ｖ１（２３）がＶ１′（３７）にＰＩＤ値変更され、以降ｎチャンネルのＰＣＲｎ′（３８）、Ａｎ′（３９）、Ｖｎ′（４０）まで順次Ｐ���Ｄ値変更されたストリームパケットで構成される。尚、図２では、字幕や文字スーパー等の付随する番組要素ストリームパケット及び、有料放送を構成する情報であるＣＡＴ（Ｃｏｎｄｉｔｉｏｎａｌ  Ａｃｃｅｓｓ  Ｔａｂｌｅ）や電子番組情報ＥＰＧ（Ｅｌｅｃｔｒｏｎｉｃ  Ｐｒｏｇｒａｍ  Ｇｕｉｄｅ）等の番組配列情報ＳＩストリームパケットを省いているが、同様にユニークとなるＰＩＤ値が割り振られなくてはならない。又、本例は多重化された複数チャンネルの放送ストリームに関して、放送ストリームの番組構成定義を定めるマッピングテーブル及び個々のストリームパケットの弁別標識を構成要素全体に於いてユニークとなるよう構成する一方法について述べているものであり、放送ストリームフォーマットが変更された場合であっても同様の手段に拠って適応されるものとする。
【００２０】
図３〜４の例は、多チャンネル同時録画再生装置に於けるＰＩＤ変換フィルタのフローチャートを示している。ＰＩＤ変換フィルタは、複数チャンネルの放送ストリームに於いて、放送ストリームの番組構成定義を定めるマッピングテーブルの番組要素弁別標識（ＰＩＤ値）及び個々のストリームパケットに割り振られる弁別標識（ＰＩＤ値）を構成要素全体に於いてユニークとなるよう構成するものである。ＰＩＤ変換フィルタは、放送ストリームのストリームパケットが入力されると、ＰＡＴストリームパケットか否か判定（Ｓ１１）し、ＹＥＳの場合ＰＡＴストリームパケット内のｐｒｏｇｒａｍ＿ｎｕｍｂｅｒ及びｐｒｏｇｒａｍ＿ＭＡＰ＿ＰＩＤが最終的な多重化された放送ストリーム内でユニークとなるよう変換（Ｓ１２）し、ＮＯの場合はスキップし、更にＰＭＴストリームパケットか否か判定（Ｓ１３）し、ＹＥＳの場合ＰＭＴストリームパケット自身のＰＩＤ値をｐｒｏｇｒａｍ＿ＭＡＰ＿ＰＩＤ値に変換及び、ＰＭＴストリームパケット内の番組構成を定めるマッピングテーブルの番組要素ＰＩＤ値であるＰＣＲ＿ＰＩＤとｅｌｅｍｅｎｔａｒｙ＿ＰＩＤを最終的な多重化された放送ストリーム内でユニークとなるよう変換（Ｓ１４）し、ＮＯの場合はスキップし、次にＰＣＲストリームパケットか否か判定（Ｓ１５）し、ＹＥＳの場合ＰＣＲストリームパケット自身のＰＩＤ値を新しいＰＣＲ＿ＰＩＤ値に変換（Ｓ１６）し、ＮＯの場合はスキップし、次にビデオ番組要素ストリームパケットか否か判定（Ｓ１７）し、ＹＥＳの場合ビデオ番組要素ストリームパケット自身のＰＩＤ値を新しいビデオ番組要素ｅｌｅｍｅｎｔａｒｙ＿ＰＩＤ値に変換（Ｓ１８）し、ＮＯの場合はスキップし、次にオーディオ番組要素ストリームパケットか否か判定（Ｓ１９）し、ＹＥＳの場合オーディオ番組要素ストリームパケット自身のＰＩＤ値を新しいオーディオ番組要素ｅｌｅｍｅｎｔａｒｙ＿ＰＩＤ値に変換（Ｓ２０）し、ＮＯの場合はスキップし、次に予め変換指定されている字幕・文字スーパー等の特定番組要素ストリームパケットか否か判定（Ｓ２１）し、ＹＥＳの場合特定ストリームパケット自身のＰＩＤ値を新しい特定番組要素ｅｌｅｍｅｎｔａｒｙ＿ＰＩＤ値に変換（Ｓ２２）し、ＮＯの場合はスキップし、次に番組配列情報の内予め特定するＳＩストリームパケットか否か判定（Ｓ２３）し、ＹＥＳの場合特定ＳＩストリームパケット自身のＰＩＤ値を予め定めるユニークな固定ＰＩＤ値に変換（Ｓ２４）し、ＮＯの場合はスキップし、最後に多重化する放送ストリームに於いて対象外となるストリームパケットか否か判定（Ｓ２５）し、ＮＯの場合は複数放送チャンネルを構成する各放送ストリームを多重化し一体となるよう処理するマルチプレクサ(Ｍｕｌｔｉｐｌｅｘｅｒ)部に入力し、ＹＥＳの場合は対象外となるストリームパケットを破棄した上で、次の放送ストリームの入力ストリームパケットの処理を継続する。尚、図３〜４の例は、多チャンネル同時録画再生装置に於けるＰＩＤ変換フィルタ単体に於ける処理の流れを説明したものであるが、ＰＩＤ変換フィルタ自体の機能はマルチプレクサ(Ｍｕｌｔｉｐｌｅｘｅｒ)部と一体となって機能を実現するものでも良い。
【００２１】
図５の例は、多チャンネル同時録画再生装置に於ける複数の放送チャンネルの放送ストリームの多重化処理を示す図である。複数の放送チャンネルの放送ストリームの多重化処理は、各々の放送ストリームをＰＩＤ変換フィルタ１〜ｎ（５０〜５３）により放送ストリームの番組構成定義を定めるマッピングテーブルの番組要素弁別標識（ＰＩＤ値）及び個々のストリームパケットに割り振られる弁別標識（ＰＩＤ値）を構成要素全体に於いてユニークとなるよう変換し、次にＰＡＴパケットＳＷ１〜ｎ（５４〜５７）に於いて、ＰＡＴストリームパケットを最初に検出するまでスイッチ（５９〜６２）はオフ状態として全ストリームパケットを破棄し、ＰＡＴストリームパケットを検出するとスイッチ（５９〜６２）は次のストリームパケットからＰＭＴが到着する事を想定してオン状態となり、新規ＰＡＴｘパケット生成部（５８）は放送チャンネルを特定するｐｒｏｇｒａｍ＿ｎｕｍｂｅｒ及び放送番組構成を定めるマッピングテーブルとなるＰＭＴストリームパケットのＰＩＤ値であるｐｒｏｇｒａｍ＿ＭＡＰ＿ＰＩＤを受け取り多重化放送ストリームを定義する新たなＰＡＴストリームパケットＰＡＴｘを生成しマルチプレクサ(７１)に送信し、ＰＭＴパケットＳＷ１〜ｎ（６３〜６６）にはＰＭＴストリームパケットのＰＩＤ値であるｐｒｏｇｒａｍ＿ＭＡＰ＿ＰＩＤを送信する。ＰＭＴパケットＳＷ１〜ｎ（６３〜６６）は、新規ＰＡＴｘパケット生成部（５８）から受け取った各放送チャンネル毎のＰＭＴストリームパケットのＰＩＤ値でＰＭＴストリームパケットを検出すると、スイッチ（６７〜７０）をオン状態に移行し、以降到達するストリームパケットをマルチプレクサ(７１)に供給する。マルチプレクサ(７１)は、新規ＰＡＴｘパケット生成部（５８）から受け取る新たなＰＡＴストリームパケットＰＡＴｘとＰＭＴパケットＳＷ１〜ｎ（６３〜６６）から受け取る各放送チャンネル毎のＰＭＴストリームパケット及び各ＰＭＴストリームパケットにて定義される番組構成要素ストリームパケット等により、複数の放送チャンネルの放送ストリームを多重化処理してバッファ（７２）に出力する。多チャンネル同時録画再生装置は、複数の各々の放送チャンネル毎の放送ストリームを一括した1本の放送ストリームに多重化する事により、全放送チャンネルに於いてその日その時間にオンエアされている状態そのままに記録保存されるので、再生する場合であっても過去のオンエアを正に再現する事が可能となる。尚、図５は多チャンネル同時録画再生装置に於ける複数の放送チャンネルの放送ストリームの多重化処理の一例を説明するものでり、ＰＩＤ変換フィルタ（５０〜５３）及び、ＰＡＴパケットＳＷ（５４〜６２）からＰＭＴパケットＳＷ（６３〜７０）に於ける処理は、マルチプレクサ(Ｍｕｌｔｉｐｌｅｘｅｒ)部と一体となって機能を実現するものでも良い。
【００２２】
図６の例は、多チャンネル同時録画再生装置に於ける多重化放送ストリームの弁別処理の手順を示す図である。複数の各々の放送チャンネル毎の放送ストリームを多重化した放送ストリームをバッファ（８０）から読み出し、ＰＡＴパケットＳＷ（８２）では、ＰＡＴストリームパケットを検出すると、チャンネル指定（８３）で特定する放送チャンネルと一致する場合、単一ＰＡＴパケット生成（８１）に放送チャンネルを特定するｐｒｏｇｒａｍ＿ｎｕｍｂｅｒ及び放送番組構成を定めるマッピングテーブルとなるＰＭＴストリームパケットのＰＩＤ値であるｐｒｏｇｒａｍ＿ＭＡＰ＿ＰＩＤを送信し、ＰＭＴパケットＳＷ（８４）にｐｒｏｇｒａｍ＿ＭＡＰ＿ＰＩＤを送信し、スイッチ（９０）を次のストリームパケットからＰＭＴが到着する事を想定してオン状態へと移行させる。単一ＰＡＴパケット生成（８１）は、ＰＡＴパケットＳＷ（８２）から供給されるｐｒｏｇｒａｍ＿ｎｕｍｂｅｒ及びｐｒｏｇｒａｍ＿ＭＡＰ＿ＰＩＤに基づき、特定の放送ストリームの放送番組定義情報のみを定義するＰＡＴストリームパケットを生成してデマルチプレクサ（８５）に供給する。ＰＭＴパケットＳＷ（８４）は、ＰＡＴパケットＳＷ（８２）から供給されるｐｒｏｇｒａｍ＿ＭＡＰ＿ＰＩＤに基づき該当するＰＭＴストリームパケットを検出し、番組を構成する番組要素間のマッピング情報をデマルチプレクサ（８５）に送信すると共に、スイッチ（９１）をオン状態へと移行してＰＭＴストリームパケットとそれに続く放送番組構成要素ストリームパケットをデマルチプレクサ（８５）に供給する。デマルチプレクサ（８５）は、単一ＰＡＴパケット生成（８１）から供給されるＰＡＴストリームパケットを分離する特定の放送チャンネルの放送番組定義情報とすると共に、ＰＭＴパケットＳＷ（８４）から供給されるＰＭＴストリームパケットを分離する特定の放送チャンネルの番組を構成する番組要素間のマッピング情報とし、ＰＡＴストリームパケットとＰＭＴストリームパケットと共に、番組を構成する番組要素間のマッピング情報に基づく特定の放送チャンネルの単一のビデオ・オーディオで構成される放送ストリームを分離・構成する。特定放送チャンネルの放送ストリームは、バッファ（８６）を介して出力ＩＦ（８８）に送られても良いし、バッファ（８７）を介してＡＶデコーダ（８９）に供給されディスプレイ表示されても良い。或いは、バッファ（８７）を介してビデオ・オーディオを分離したストリームとしてＡＶデコーダ（８９）に供給する為に、複数の放送チャンネルで構成される多重化放送ストリームから、特定の放送チャンネルで指定される放送ストリームのビデオエレメンタリーストリームとオーディオエレメンタリーストリームに分離しても良い。尚、図６は多チャンネル同時録画再生装置に於ける多重化放送ストリームの弁別処理の手順を示す一例であり、バッファ（８０）からバッファ（８７）に於ける処理はデマルチプレクサ(Ｄｅｍｕｌｔｉｐｌｅｘｅｒ)部と一体となって機能を実現するものでも良い。又、デマルチプレクサ(Ｄｅｍｕｌｔｉｐｌｅｘｅｒ)は、複数の放送チャンネルの内の特定の複数チャンネルを同時指定する事で、並行して多重化放送ストリームから複数��送の放送ストリームを同時に弁別処理する事が可能であるように構成しても良い。
【００２３】
図７の例は、多チャンネル同時録画再生装置に於ける多重化放送ストリームの記録保存管理を示している。多チャンネル同時録画再生装置に於ける多重化放送ストリームの記録保存管理は、記憶媒体の一定領域を複数の放送チャンネルの多重化放送ストリームの記憶領域（１０１）とし、その他を通常データの記憶領域（１００）となるように管理しても良いし、記憶媒体全体を複数の放送チャンネルの多重化放送ストリームの記憶領域（１０１）となるよう管理しても良い。複数の放送チャンネルの多重化放送ストリーム（１０２）の記憶領域（１０１）は、●放送局〜■放送局（１０３〜１０５）の全放送局チャンネルの放送ストリームが、例えば２０ＸＸ／１０／２２の１６：００（１０６）から２０ＸＸ／１０／２３の１６：００（１０７）、２０ＸＸ／１０／２３の１６：００（１０７）から２０ＸＸ／１０／２４の１６：００（１０８）と言うように、全放送局チャンネルでその日その時間にオンエアされている状態そのままに、記憶領域の先頭から順次シーケンシャルに記録される。更に、記憶領域（１０１）の容量が一杯と成ると、最も古い記憶領域の先頭から順次オーバーライトして連続記録しても良い。従来のビデオ装置に於ける各放送局の各番組単位でのランダムアクセスによる記録保存及び管理の場合、記録媒体の記憶領域の断片化を招き、ハードディスクなどの機械部を有する装置では、例えば磁気ヘッドは断片化し離れた場所を頻繁に行き来する事になり、移動量の増加が機械部分の消耗を招く事となる。本例のようにシーケンシャルな多重化放送ストリームを構成する事により、記憶領域へシーケンシャルに書込む事は、書込み等処理時間の短縮（入出力高速化）と、磁気ヘッド等の稼動部の移動を伴うシーク負荷の軽減により機構部消耗を改善し耐久性を向上する効果を得る事が可能となる。
【００２４】
図８の例は、多チャンネル同時録画再生装置に於ける多重化放送ストリームの番組開始及び終了位置管理を示している。多チャンネル同時録画再生装置は、受信可能な全て（複数）の放送チャンネルを受信する為の地上デジタル放送、衛星放送（ＢＳデジタル放送・ＣＳデジタル放送等）、ケーブルテレビ放送等のチューナ設備を備える放送波受信手段により取得する全ての放送チャンネルの放送番組電子情報（１１０）の日付（１１１）、●放送〜■放送（１１５〜１１７）、放送時間割り情報（１１２〜１１４）等に基づき、記憶媒体の特定記憶領域上の全放送チャンネルが弁別可能な状態で記録される多重化放送ストリーム（１１８〜１２０）の例えば■放送（１２０）の放送番組「スペシャルＮＥＷＳ」の番組開始（１２１）及び終了位置（１２２）の様に全ての放送番組を管理するインデックス情報を作成する事により、記憶媒体の特定記憶領域のアクセスに於いて各々の放送チャンネルの目的の放送番組データに効率的に到達する事が可能となる。記憶媒体上の特定記憶領域へのシーケンシャルアクセスに於いて、各々の放送チャンネルの各々の放送番組のインデックス情報がない場合、恰もビデオテープを早送り巻戻しして目的の再生位置を探すように、目的とする放送番組のデータの部分まで順次検索する事が必要となる。
【００２５】
更に、多チャンネル同時録画再生装置は、全ての放送チャンネルで放送されている放送番組を、その日その時間にオンエアされている状態そのままに記録保存し、再生する場合に於いても過去の各チャンネルのオンエアの状態をそのままに再現する事が可能であり、放送中の番組を視聴するのと同様の操作及び感覚で、チャンネルキー及びチャンネルアップ/ダウンキー等で各放送チャンネルを切換え、日時方向に過去から現在に至るまで、早送り巻戻し操作を含めシームレスに再生して視聴させる事が可能となり、ユーザに現在の放送番組から記録保存された過去の放送番組まで一貫した操作・手法で視聴する環境を提供する。
【産業上の利用可能性】
【００２６】
本発明の実施例の多チャンネル同時録画再生装置によれば、全ての放送チャンネルで放送されている放送ストリームを、ハードディスク等の大容量記憶媒体に、再生時に各々の放送チャンネル毎に放送ストリームを弁別可能な状態で、その日その時間にオンエアされている状態そのままにシーケンシャルに記録保存する事により、再生する場合に於いても過去の各放送チャンネルのオンエアの状態をそのままに再現する事が可能であり、ユーザに現在の放送番組から記録保存された過去の放送番組まで一貫した操作と感覚で視聴する環境を提供すると共に、ハードディスク等の大容量記憶媒体に対する高速アクセスと機構部の耐久性向上に寄与するものである。
【符号の説明】
【００２７】
１            放送ストリーム入力１
２            放送ストリーム入力２
３            放送ストリーム入力３
４            放送ストリーム入力ｎ
５            ＰＩＤ変換フィルタ１
６            ＰＩＤ変換フィルタ２
７            ＰＩＤ変換フィルタ３
８            ＰＩＤ変換フィルタｎ
９            マルチプレクサ(Ｍｕｌｔｉｐｌｅｘｅｒ)、略記ＭＵＸ
１０          記憶媒体入出力インターフェース
１１          記憶媒体
１２          デマルチプレクサ(Ｄｅｍｕｌｔｉｐｌｅｘｅｒ) 、略記ＤＥＭＵＸ
１３          ＡＶデコーダ１
１４          ＡＶデコーダ２
１５          出力インターフェース
１６          モニタ
【図１】
2012004768.tif 000003
【図２】
2012004768.tif 000004
【図３】
2012004768.tif 000005
【図４】
2012004768.tif 000006
【図５】
2012004768.tif 000007
【図６】
2012004768.tif 000008
【図７】
2012004768.tif 000009
【図８】
2012004768.tif 000010